(57)【要約】【課題】流れが生じている液体の量を低コストでかつ正確に表示できるようにする。【解決手段】液量表示器１は、据付部２のスリットに挿通されて上側へ延びる指示検知部材５と、指示部５３ｂ、５３ｃの高さに対応した液体の量を表示するフレーム部材３とを備えている。スリットは、指示検知部材５の上下方向中間部を上下方向に案内するように形成されている。フレーム部材３は、指示検知部材５におけるスリットよりも上側の部分を上下方向に案内する。【選択図】図１
2018080985.tif 000002
【特許請求の範囲】
【請求項１】
槽内の液体の量を表示する液量表示器において、
上記槽に固定され、該槽に形成された連通孔の上方に配置されるとともにスリットを有するベース板と、
上記液体に浮く浮きと、
上記浮きに固定され、上記スリットに挿通されて上記ベース板よりも上側へ延びるとともに上側に指示部を有する指示検知部材と、
上記ベース板に対して上側へ突出するように固定され、上記指示部の高さに対応した液体の量を表示する表示部を有するフレーム部材とを備え、
上記スリットは、上記指示検知部材の上下方向中間部を上下方向に案内するように形成され、
上記フレーム部材には、上記指示検知部材における上記スリットよりも上側の部分を上下方向に案内する案内部が設けられていることを特徴とする液量表示器。
【請求項２】
請求項１に記載の液量表示器において、
上記指示検知部材は、上下方向に長い第１板部及び第２板部が一体化された本体部を有し、該第１板部と該第２板部とは互いに交差する方向に延びており、
上記スリットは、上記第１板部が挿通するとともに該第１板部を案内する第１スリットと、上記第２板部が挿通するとともに該第２板部を案内する第２スリットとを有していることを特徴とする液量表示器。
【請求項３】
請求項１または２に記載の液量表示器において、
上記フレーム部材の案内部は、上下方向に長い開口部を有し、
上記指示検知部材における上記スリットよりも上側の部分は、上記開口部の上下方向に延びる縁部によって上下方向に案内されることを特徴とする液量表示器。
【請求項４】
請求項３に記載の液量表示器において、
上記指示検知部材における上記スリットよりも上側の部分には、水平方向に窪む凹部が形成され、
上記凹部に、上記開口部の上下方向に延びる縁部が差し込まれていることを特徴とする液量表示器。
【請求項５】
請求項１から４のいずれか１つに記載の液量表示器において、
上記フレーム部材の案内部は、上下方向に延びる側板部を有し、
上記指示検知部材における上記スリットよりも上側の部分は、上記側板部に摺接することによって上下方向に案内されることを特徴とする液量表示器。
【請求項６】
請求項１から５のいずれか１つに記載の液量表示器において、
上記フレーム部材は、上下方向に延びる第１側板部及び第２側板部を有し、
上記第１側板部及び上記第２側板部には、それぞれ、上記指示検知部材における上記スリットよりも上側の部分が接近した状態にあるか否かを検出する近接スイッチが取り付けられる第１スイッチ取付部及び第２スイッチ取付部が設けられていることを特徴とする液量表示器。
【発明の詳細な説明】
【技術分野】
【０００１】
本発明は、液体の量を表示する液量表示器に関し、特に、液面の高さに基づいて液量を表示する構造の技術分野に属する。
【背景技術】
【０００２】
例えば工作機械から排出されたクーラントには切屑が含まれているので、この切屑を含んだクーラントをクーラント濾過装置に流入させて切屑をクーラントから分離して回収することが行われている（例えば、特許文献１参照）。
【０００３】
特許文献１の装置は、切屑を含んだクーラントが貯留される槽を備えており、クーラントの液面に追従する追従機構が該槽に設けられている。この追従機構は、槽の貯液部の壁面に沿って形成されるスライド枠と、スライド枠内に上下方向に移動可能に配設された受け部と、受け部に設置された浮きとを備えている。浮きが槽内のクーラントの液面変動によって上下すると、これに追従して受け部がスライド枠内を上下方向に移動するように構成されている。
【先行技術文献】
【特許文献】
【０００４】
【特許文献１】特開２０１３−１６３２４９号公報
【発明の概要】
【発明が解決しようとする課題】
【０００５】
ところで、例えば、クーラント濾過装置の槽内のクーラントの液量を外部から目視で正確に確認したいという要求がある。クーラントの液量が所定量以上あるか否かを把握するだけでよい場合には、液面を検出してＯＮ／ＯＦＦ信号を出力する周知のセンサを配設しておけばよいのであるが、濾過処理を行うにあたっては槽内のクーラントの液量の状態を正確に把握しておく必要があり、クーラントの液量が所定量以上あるか否かだけでなく、減少傾向または増加傾向にあるか否かも異常を未然に防止するために把握しておきたいという要求がある。
【０００６】
そこで、特許文献１に開示されているように液面の高さによって上下する浮きを利用した液量表示器を使用することが考えられる。ところが、槽内のクーラントには流れが生じているとともに、液面が波打っていることがあり、このようなクーラントの流れによって浮きに対する力は鉛直方向だけでなく、水平方向の成分を含むことになり、この水平方向の成分によって特許文献１の受け部にはこじられるような力が作用してスライド枠内をスムーズに上下動しない場合が考えられ、ひいては、クーラントの液量が減少傾向または増加傾向にあるか否かを槽の外部から正確に把握するのが困難になる恐れがある。
【０００７】
このことに対して、例えば上下方向に長いガイド部材を設けて受け部を上下方向の広い範囲に亘って連続して案内するようにすれば、クーラントの流れによって浮きに水平方向の力が作用したとしても、受け部を上下方向に確実に案内することができると考えられるが、そのようなガイド部材は精度が要求されるので切屑やスラッジが詰まって作動不良が起こりやすく、また、ガイド部材は上下方向に長くなければ効果が得られないことから、コスト高になるという問題があった。
【０００８】
本発明は、かかる点に鑑みてなされたものであり、その目的とするところは、流れが生じている液体の量を低コストでかつ正確に表示できるようにすることにある。
【課題を解決するための手段】
【０００９】
上記目的を達成するために、本発明では、指示検知部材をベース板に設けたスリットによって上下方向に案内するとともに、その上側に配設されたフレーム部材によっても上下方向に案内するようにした。
【００１０】
第１の発明は、槽内の液体の量を表示する液量表示器において、上記槽に固定され、該槽に形成された連通孔の上方に配置されるとともにスリットを有するベース板と、上記液体に浮く浮きと、上記浮きに固定され、上記スリットに挿通されて上記ベース板よりも上側へ延びるとともに上側に指示部を有する指示検知部材と、上記ベース板に対して上側へ突出するように固定され、上記指示部の高さに対応した液体の量を表示する表示部を有するフレーム部材とを備え、上記スリットは、上記指示検知部材の上下方向中間部を上下方向に案内するように形成され、上記フレーム部材には、上記指示検知部材における上記スリットよりも上側の部分を上下方向に案内する案内部が設けられていることを特徴とする。
【００１１】
この構成によれば、液体の量の増減によって浮きが上下動するので、この浮きに固定された指示検知部材が該浮きと連動して上下動する。これにより、指示検知部材の指示部が上下動して該指示部がフレーム部材の表示部を示すので、槽内の液体の量を外部から目視で把握することが可能になる。
【００１２】
指示検知部材が上下動するとき、指示検知部材はベース板のスリットの周縁部によって上下方向に案内されるとともに、そこから上側へ離れた部分がフレーム部材の案内部によって上下方向に案内される。つまり、指示検知部材の上下方向に離れた少なくとも２箇所がそれぞれ案内されるので、例えば槽内の液体に流れが生じていて浮きに水平方向の力が作用していたとしても、指示検知部材がスムーズに上下動する。これにより、上下方向に長い高価なガイド部材を設けることなく低コストで、液体の量が所定量以上あるか否かを正確に把握することが可能になるとともに、液体の量が減少傾向または増加傾向にあるか否かも正確に把握することが可能になる。
【００１３】
第２の発明は、第１の発明において、上記指示検知部材は、上下方向に長い第１板部及び第２板部が一体化された本体部を有し、該第１板部と該第２板部とは互いに交差する方向に延びており、上記スリットは、上記第１板部が挿通するとともに該第１板部を案内する第１スリットと、上記第２板部が挿通するとともに該第２板部を案内する第２スリットとを有していることを特徴とする。
【００１４】
この構成によれば、指示検知部材の本体部の第１板部と第２板部が互いに交差する方向に延びていて、それぞれベース板の第１スリット及び第２スリットによって案内されるので、指示検知部材は少なくとも水平方向の２方向の変位が規制されることになる。
【００１５】
第３の発明は、第１または２の発明において、上記フレーム部材の案内部は、上下方向に長い開口部を有し、上記指示検知部材における上記スリットよりも上側の部分は、上記開口部の上下方向に延びる縁部によって上下方向に案内されることを特徴とする。
【００１６】
この構成によれば、フレーム部材に開口部を形成するという簡単な構成で指示検知部材の上側の部分を上下方向に確実に案内することが可能になる。
【００１７】
第４の発明は、第３の発明において、上記指示検知部材における上記スリットよりも上側の部分には、水平方向に窪む凹部が形成され、上記凹部に、上記開口部の上下方向に延びる縁部が差し込まれていることを特徴とする。
【００１８】
この構成によれば、指示検知部材の凹部に開口部の縁部が差し込まれることで、指示検知部材の上側の部分の水平方向の変位が抑制された状態で、該指示検知部材の上側の部分が上下方向に案内されることになる。
【００１９】
第５の発明は、第１から４のいずれか１つの発明において、上記フレーム部材の案内部は、上下方向に延びる側板部を有し、上記指示検知部材における上記スリットよりも上側の部分は、上記側板部に摺接することによって上下方向に案内されることを特徴とする。
【００２０】
この構成によれば、指示検知部材の上側の部分がフレーム部材の側板部に摺接することで、指示検知部材の上側の部分の水平方向の変位が抑制された状態で、該指示検知部材の上側の部分が上下方向に案内されることになる。
【００２１】
第６の発明は、第１から５のいずれか１つの発明において、上記フレーム部材は、上下方向に延びる第１側板部及び第２側板部を有し、上記第１側板部及び上記第２側板部には、それぞれ、上記指示検知部材における上記スリットよりも上側の部分が接近した状態にあるか否かを検出する近接スイッチが取り付けられる第１スイッチ取付部及び第２スイッチ取付部が設けられていることを特徴とする。
【００２２】
すなわち、近接スイッチによって指示検知部材を検出することで、液量を電気的に外部に報知することが可能になる。このとき、例えば２段階で液量を報知したいときには、２つの近接スイッチを上下方向に並べて設ける必要があるが、近接スイッチの大きさ等の制約によって上下方向の間隔を狭めることが困難な場合があり、この場合には近接スイッチの配設位置に制限が生じる。
【００２３】
本発明によれば、フレーム部材の第１側板部の第１スイッチ取付部に近接スイッチを取り付け、また、第２側板部の第２スイッチ取付部に別の近接スイッチを取り付けるようにしている。従って、異なる側板部にそれぞれ近接スイッチを取り付けることが可能になるので、２つの近接スイッチが水平方向に離れて配置される。これにより、近接スイッチの大きさ等の制約を受け難くなり、近接スイッチの上下方向の間隔を容易に狭めることが可能になる。
【発明の効果】
【００２４】
第１の発明によれば、浮きに固定された指示検知部材を、ベース板に設けたスリットによって上下方向に案内するとともに、その上側に配設されたフレーム部材によっても上下方向に案内するようにしたので、流れが生じている液体の量を低コストでかつ正確に表示できる。
【００２５】
第２の発明によれば、指示検知部材の本体部の第１板部と第２板部が互いに交差する方向に延びていて、それぞれベース板の第１スリット及び第２スリットによって案内される。これにより、指示検知部材は少なくとも水平方向の２方向の変位が規制されることになるので、指示検知部材をよりスムーズに上下動させることができ、流れが生じている液体の量をより正確に表示できる。
【００２６】
第３の発明によれば、フレーム部材に形成された開口部の上下方向に延びる縁部によって指示検知部材の上側の部分を上下方向に案内することができるので、構成を簡単にすることができる。
【００２７】
第４の発明によれば、指示検知部材に形成した凹部に、フレーム部材の開口部の縁部を差し込むようにしたので、指示検知部材をより一層スムーズに上下動させることができる。
【００２８】
第５の発明によれば、指示検知部材の上側の部分をフレーム部材の側板部に摺接させるようにしたので、指示検知部材の上側の部分の水平方向の変位を抑制して指示検知部材をより一層スムーズに上下動させることができる。
【００２９】
第６の発明によれば、フレーム部材の第１側板部の第１スイッチ取付部に近接スイッチを取り付け、また、第２側板部の第２スイッチ取付部に別の近接スイッチを取り付けることができるので、近接スイッチの上下方向の間隔を容易に狭めることができる。
【図面の簡単な説明】
【００３０】
【図１】本発明の実施形態に係る液量表示器の正面図である。
【図２】液量表示器の右側面図である。
【図３】液量表示器の左側面図である。
【図４】液量表示器の平面図である。
【図５】液量表示器の底面図である。
【図６】据付部の平面図である。
【図７】指示検知部材の正面図である。
【図８】指示検知部材の平面図である。
【図９】フレーム部材の正面図である。
【図１０】フレーム部材の右側面図である。
【図１１】フレーム部材の左側面図である。
【図１２】フレーム部材の背面図である。
【発明を実施するための形態】
【００３１】
以下、本発明の実施形態を図面に基づいて詳細に説明する。尚、以下の好ましい実施形態の説明は、本質的に例示に過ぎず、本発明、その適用物或いはその用途を制限することを意図するものではない。
【００３２】
図１は、本発明の実施形態に係る液量表示器１の正面図であり、図２は、液量表示器１の右側面図であり、図３は、液量表示器１の左側面図である。この液量表示器１は、図示しないが工作機械から排出された切屑を含んだクーラントを濾過するクーラント濾過装置の槽１００内のクーラント（液体）の量を外部から視認可能に表示するためのものである。クーラント濾過装置は、従来から周知のものであり、切屑を含んだクーラントを所定方向に搬送しながら切屑をクーラントから分離して回収するように構成されている。このクーラント濾過装置は、クーラントが貯留される槽１００を有している。槽１００の上壁部１０１には内部に連通する連通孔１０１ａが形成されており、液量表示器１は上壁部１０１の連通孔１０１ａを介してクーラントの量を検出することができるように構成されている。図１〜図３では、槽１００の上壁部１０１のみ断面で示している。
【００３３】
液量表示器１は、槽１００に固定される据付部２と、据付部２の上側に固定されるフレーム部材３と、槽１００内に配置される浮き４と、指示検知部材５と、浮き４を指示検知部材５に固定するための固定部材６と、上側近接スイッチＳＷ１及び下側近接スイッチＳＷ２とを有している。この実施形態の説明では、各図に示すように、液量表示器１の左右方向及び前後方向を仮に定義するが、実際の使用状態における向きを限定するものではない。
【００３４】
（据付部の構成）
据付部２は、略矩形の上板部（ベース板）２０と、上板部２０の前縁部から下方へ延びる前板部２１と、上板部２０の後縁部から下方へ延びる後板部２２と、上板部２０の右縁部から下方へ延びる右板部２３と、上板部２０の左縁部から下方へ延びる左板部２４とを有しており、中空状に構成されている。据付部２は、例えばステンレス鋼等からなる１枚の板材を折り曲げることによって形成されたものである。
【００３５】
前板部２１、後板部２２、右板部２３及び左板部２４は、略上下方向に延びている。前板部２１、後板部２２、右板部２３及び左板部２４の下端部には、据付部２の外方へ延出するフランジ２１ａ、２２ａ、２３ａ、２４ａがそれぞれ形成されている。フランジ２１ａ、２２ａ、２３ａ、２４ａは槽１００の上壁部１０１に沿って延びるように形成されており、該上壁部１０１に固定される。
【００３６】
上板部２０は略水平に延びており、槽１００の上壁部１０１の連通孔１０１ａの真上に配置される。図６に示すように、上板部２０の略中央部には、固定部材６が挿通する略円形の挿通孔２０ａが形成されている。また、上板部２０には、挿通孔２０ａの近傍にスリット２０ｄが形成されている。スリット２０ｄは、指示検知部材５の上下方向中間部を上下方向に案内するためのものであり、上板部２０における挿通孔２０ａから左側に離れた部分に形成された第１スリット２０ｂと、上板部２０における挿通孔２０ａから後側に離れた部分に形成された第２スリット２０ｃとを有している。第１スリット２０ｂは前後方向に延びている。第２スリット２０ｃは左右方向に延びている。第１スリット２０ｂの後端部が第２スリット２０ｃの左端部と連続して平面視でＬ字に近い形状のスリット２０ｄが構成されている。第１スリット２０ｂの延びる方向と、第２スリット２０ｃの延びる方向とは略直交している。
【００３７】
（浮き及び固定部材の構成）
浮き４は中空状部材で構成されており、クーラントに浮くようになっている。浮き４の浮力は、指示検知部材５及び固定部材６の重力に抗して指示検知部材５及び固定部材６を上昇させる力よりも大きく設定されている。浮き４の大きさは、図５に示すように据付部２の内形状よりも小さく設定されている。浮き４の上部には、固定部材６が連結される連結部４ａが上方へ突出するように設けられている。
【００３８】
固定部材６は、丸棒材からなるものであり、上下方向に延びている。固定部材６の下端部が浮き４の連結部４ａに挿入された状態で該連結部４ａに連結される。固定部材６の上下方向中間部は、上板部２０の挿通孔２０ａに挿通される。固定部材６における挿通孔２０ａに挿通される部分の断面は挿通孔２０ａよりも若干小さめの略円形となっている。これにより、固定部材６の上下方向中間部の外周面が挿通孔２０ａの周縁部に摺接しながら該周縁部によって上下方向に案内されることになる。このときの摺動抵抗は小さなものである。
【００３９】
また、固定部材６の上端部は、挿通孔２０ａから上方へ突出しており、この上端部が指示検知部材５に連結されている。つまり、指示検知部材５は、固定部材６を介して浮き４に固定されている。尚、固定部材６の長さは、槽１００の深さに応じて変更することができる。
【００４０】
（フレーム部材の構成）
図１〜図３に示すように、フレーム部材３は、据付部２の上板部２０に対して上側へ突出するように固定されるフレーム本体３１と、上端カバー部材３２とを有している。フレーム本体３１は、図９〜図１２に示すように、全体として上下及び右側方に開放する形状となっており、上下方向に延びる前側板部３３、左側板部（第２側板部）３４及び後側板部（第１側板部）３５を有している。前側板部３３はフレーム本体３１の前壁を構成する部分であり、左右方向に延びている。左側板部３４はフレーム本体３１の左壁を構成する部分であり、前側板部３３の右端部から後側へ延びている。後側板部３５はフレーム本体３１の後壁を構成する部分であり、左側板部３４の後端部から右側へ延びている。前側板部３３、左側板部３４及び後側板部３５は、例えばステンレス鋼等からなる１枚の板材を折り曲げることによって形成されたものである。
【００４１】
図１〜図３に示すように、前側板部３３の左右方向の寸法は、据付部２の前板部２１の左右方向の寸法よりも短く設定されている。また、左側板部３４の前後方向の寸法は、据付部２の左板部２４の前後方向の寸法よりも短く設定されている。また、後側板部３５の左右方向の寸法は、据付部２の後板部２２の左右方向の寸法よりも短く設定されている。
【００４２】
図９に示すように、前側板部３３の左右方向中央部には、上下方向に長い形状の開口部３３ａが形成されている。開口部３３ａは、前側板部３３の下端部近傍から上端部まで連続しており、前側板部３３の上端部において上方に開放されている。開口部３３ａの左右両縁部は上下方向に直線状に延びている。図１０に示すように、前側板部３３の下端部には、前側へ延びる取付板部３３ｄが形成されている。取付板部３３ｄは据付部２の上板部２０に例えばリベット等の締結部材によって固定されるようになっている。
【００４３】
図１に示すように、前側板部３３の前面の左側には、開口部３３ａの左縁部に沿うように目盛（表示部）３３ｂが設けられている。目盛３３ｂは、後述する左側指示部５３ｃの高さに対応したクーラントの量を表示するためのものである。また、前側板部３３の前面の右側には、開口部３３ａの右縁部に液レベル表示部３３ｃ、３３ｃ、３３ｃが設けられている。最も下に位置する液レベル表示部３３ｃは「ＬＬ」であり、クーラントの量が極めて少ない状態を表示するためのものである。中間に位置する液レベル表示部３３ｃは「Ｌ」であり、クーラントの量が少なめであることを表示するためのものである。最も上に位置する液レベル表示部３３ｃは「Ｈ」であり、クーラントの量が十分であることを表示するためのものである。さらに、前側板部３３の前面の右側には、標準水位を示すための矢印３３ｅが設けられており、この矢印３３ｅの位置は任意の位置に設定することができる。上記目盛３３ｂ及び液レベル表示部３３ｃの一方及び両方を省略してもよい。
【００４４】
尚、前側板部３３の前面を着色してもよい。例えば、図１において「ＬＬ」よりも下の領域及び「Ｈ」よりも上の領域を赤色に着色することで、異常液量であることが把握し易くなる。また、「ＬＬ」と「Ｌ」の間の領域を黄色に着色することで、注意液量であることが把握し易くなる。また、「Ｈ」と「Ｌ」の間の領域を緑色に着色することで、正常液量であることが把握し易くなる。
【００４５】
また、詳細は後述するが、指示検知部材５が据付部２のスリット２０ｄに挿通された状態で、指示検知部材５におけるスリット２０ｄよりも上側の部分を前側板部３３が上下方向に案内するようになっている。つまり、前側板部３３は、本発明の案内部である。
【００４６】
図３及び図１１に示すように、左側板部３４には、上下方向に長い形状の左側近接スイッチ取付孔（第２スイッチ取付部）３４ａが形成されている。左側近接スイッチ取付孔３４ａは下側近接スイッチＳＷ２を取り付けるためのものである。下側近接スイッチＳＷ２は、左側近接スイッチ取付孔３４ａの縁部を左側板部３４の厚み方向に挟持するようにして該左側板部３４に取り付けられる。下側近接スイッチＳＷ２の高さは、左側近接スイッチ取付孔３４ａの形成範囲内で無段階に変更することが可能になっている。
【００４７】
図１２に示すように、後側板部３５には、上下方向に長い形状の後側近接スイッチ取付孔（第１スイッチ取付部）３５ａが形成されている。後側近接スイッチ取付孔３５ａは上側近接スイッチＳＷ１（図２等に示す）を取り付けるためのものである。上側近接スイッチＳＷ１は、後側近接スイッチ取付孔３５ａの縁部を後側板部３５の厚み方向に挟持するようにして該後側板部３５に取り付けられる。上側近接スイッチＳＷ１の高さは、後側近接スイッチ取付孔３５ａの形成範囲内で無段階に変更することが可能になっている。
【００４８】
図１１に示すように、後側板部３５の下端部には、後側へ延びる取付板部３５ｂが形成されている。取付板部３５ｂは据付部２の上板部２０に例えばリベット等の締結部材によって固定されるようになっている。
【００４９】
図１〜図４に示すように、上端カバー部材３２は、フレーム本体３１の上端開放部を覆う天板部３２ａと、天板部３２ａの前縁部から下方へ延びる前板部３２ｂと、天板部３２ａの右縁部から下方へ延びる右板部３２ｃと、天板部３２ａの左縁部から下方へ延びる左板部３２ｄと、天板部３２ａの後縁部から下方へ延びる後板部３２ｅとを有している。上端カバー部材３２は、例えばステンレス鋼等からなる１枚の板材を折り曲げることによって形成されたものである。
【００５０】
前板部３２ｂ、左板部３２ｄ及び後板部３２ｅは、フレーム本体３１の上側の外面に沿うように形成されており、それぞれ、フレーム本体３１の前側板部３３、左側板部３４及び後側板部３５に対して例えばリベット等の締結部材によって固定されるようになっている。
【００５１】
（指示検知部材の構成）
図７及び図８に示すように、指示検知部材５は、上下方向に長い第１板部５１及び第２板部５２が一体化された本体部５０と、該本体部５０の上端部に一体成形された上端板部５３とを有している。本体部５０及び上端板部５３は、例えばステンレス鋼等からなる１枚の板材を折り曲げることによって形成されたものである。
【００５２】
平面視で、本体部５０の第１板部５１は前後方向に延びており、また、第２板部５２は第１板部５１の後端部から右側へ延びている。従って、第１板部５１と該第２板部５２とは互いに交差する方向に延びることになる。第１板部５１は据付部２の第１スリット２０ｂに挿通し、また、第２板部５２は据付部２の第２スリット２０ｃに挿通するようになっており、第１板部５１及び第２板部５２は、第１スリット２０ｂ及び第２スリット２０ｃに挿通された状態で第１スリット２０ｂ及び第２スリット２０ｃの上側へ突出している。
【００５３】
第１板部５１及び第２板部５２の上下方向中間部は、第１スリット２０ｂ及び第２スリット２０ｃ内を上下方向に移動可能となっており、このときに第１スリット２０ｂ及び第２スリット２０ｃの周縁部によって上下方向に案内される。第１板部５１及び第２板部５２の厚みは、それぞれ、第１スリット２０ｂ及び第２スリット２０ｃの幅よりも若干狭めに設定されており、第１板部５１及び第２板部５２の上下方向の移動がスムーズに行われるようになっている。
【００５４】
図７に示すように、上端板部５３は、本体部５０の上端部から前側へ突出するように形成されている。図８に示すように、上端板部５３の基端側には、固定部材６の上端部が挿通する挿通孔５３ａが形成されている。図１等に示すように２つのナットＮ、Ｎを固定部材６の上端部に螺合させ、ナットＮ、Ｎによって上端板部５３を挟持することによって固定部材６の上端部が上端板部５３に固定される。従って、指示検知部材５は、固定部材６を介して浮き４に固定されることになる。
【００５５】
図２に示すように、上端板部５３の先端側は、フレーム部材３の前側板部３３の開口部３３ａから前側へ突出するように形成されている。図８にも示すように、上端板部５３における開口部３３ａよりも前側部分には、右側へ略水平に延びる右側指示部５３ｂと、左側へ略水平に延びる左側指示部５３ｃとが形成されている。右側指示部５３ｂが液レベル表示部３３ｃ、３３ｃ、３３ｃを指示し、左側指示部５３ｃが目盛３３ｂを指示する。
【００５６】
上端板部５３の左側には、右側へ向けて水平方向に窪む凹部５３ｄが形成されている。凹部５３ｄには、フレーム部材３の前側板部３３の開口部３３ａの左側縁部が差し込まれるようになっている。凹部５３ｄの内面は、上記開口部３３ａの左側縁部に沿って延びるように形成されており、指示検知部材５が上下方向に移動すると、凹部５３ｄ内を上記開口部３３ａの左側縁部が上下方向に相対的に移動し、これにより、指示検知部材５におけるスリット２０ｄよりも上側の部分が上記開口部３３ａの左側縁部によって上下方向に案内されることになる。
【００５７】
また、上端板部５３の右側には、左側へ向けて水平方向に窪む凹部５３ｅが形成されている。凹部５３ｅには、フレーム部材３の前側板部３３の開口部３３ａの右側縁部が差し込まれるようになっている。凹部５３ｅの内面は、上記開口部３３ａの右側縁部に沿って延びるように形成されており、指示検知部材５が上下方向に移動すると、凹部５３ｅ内を上記開口部３３ａの右側縁部が上下方向に相対的に移動し、これにより、指示検知部材５におけるスリット２０ｄよりも上側の部分が上記開口部３３ａの右側縁部によって上下方向に案内されることになる。尚、左側の凹部５３ｄの深さは、右側の凹部５３ｅの深さよりも深くしているが、どちらを深くしてもよいし、同じ深さにしてもよい。また、左側の凹部５３ｄと右側の凹部５３ｅの一方を省略してもよいが、２つの凹部５３ｄ、５３ｅを設ける方が指示検知部材５を安定させることができるので好ましい。
【００５８】
また、上端板部５３における右側指示部５３ｂ及び左側指示部５３ｃの後縁部は、フレーム部材３の前側板部３３の前面に接触するように位置付けられている。従って、指示検知部材５が上下方向に移動すると、指示検知部材５におけるスリット２０ｄよりも上側の部分である右側指示部５３ｂ及び左側指示部５３ｃの後縁部が前側板部３３の前面に摺接することによって上下方向に案内される。
【００５９】
尚、指示検知部材５の本体部５０の長さは、槽１００の深さに応じて変更することができる。
【００６０】
（近接スイッチの構成）
上側近接スイッチＳＷ１及び下側近接スイッチＳＷ２は、指示検知部材５におけるスリット２０ｄよりも上側の部分が当該スイッチＳＷ１、ＳＷ２に接近した状態にあるか否かを検出するためのものである。具体的には、上側近接スイッチＳＷ１は指示検知部材５の本体部５０の後側に位置するように配置されており、その検出部分が本体部５０の第２板部５２と対向するように位置付けられている。従って、上側近接スイッチＳＷ１は本体部５０の第２板部５２が当該スイッチＳＷ１に接近した状態にあるか否かを検出する。また、下側近接スイッチＳＷ２は指示検知部材５の本体部５０の左側に位置するように配置されており、その検出部分が本体部５０の第１板部５１と対向するように位置付けられている。従って、下側近接スイッチＳＷ２は本体部５０の第１板部５１が当該スイッチＳＷ２に接近した状態にあるか否かを検出する。
【００６１】
ここで、上述したように上側近接スイッチＳＷ１及び下側近接スイッチＳＷ２を上下方向に並べて設ける場合、仮に、左側板部３４のみに上側近接スイッチＳＷ１及び下側近接スイッチＳＷ２を並べて取り付けようとすると、近接スイッチＳＷ１、ＳＷ２の大きさ等の制約によって上下方向の間隔を狭めることが困難な場合があり、この場合には近接スイッチＳＷ１、ＳＷ２の配設位置に制限が生じる。
【００６２】
これに対し、本実施形態では、上側近接スイッチＳＷ１及び下側近接スイッチＳＷ２をそれぞれ後側板部３５及び左側板部３４に取り付けるようにしているので、上側近接スイッチＳＷ１及び下側近接スイッチＳＷ２の大きさによる配置の制約を受け難くなり、近接スイッチＳＷ１、ＳＷ２の上下方向の間隔を容易に狭めることができる。
【００６３】
上側近接スイッチＳＷ１は、中間に位置する液レベル表示部３３ｃと同じ高さに配置される。また、下側近接スイッチＳＷ２は、最も下に位置する液レベル表示部３３ｃと同じ高さに配置される。そして、上側近接スイッチＳＷ１及び下側近接スイッチＳＷ２は、図示しない制御装置に接続され、それぞれ、第１板部５１及び第２板部５２が接近した状態にあるときにＯＮになり、第１板部５１及び第２板部５２が離れた状態にあるときにＯＦＦになる。そして、制御装置は、上側近接スイッチＳＷ１がＯＦＦ状態であることを検出すると、クーラントの量が「Ｌ」以上であることを報知手段によって報知し、また、下側近接スイッチＳＷ２がＯＦＦ状態であることを検出すると、クーラントの量が「Ｌ」未満であることを報知手段によって報知するように構成されている。報知手段は、例えばブザー、スピーカ、発光体等を挙げることができる。
【００６４】
（実施形態の作用効果）
以上のように構成された液量表示器１の据付部２を槽１００の上壁部１０１に固定すると、浮き４が槽１００内のクーラントから浮力を受け、その浮力は固定部材６を介して指示検知部材５に伝わり、指示検知部材５、即ち右側指示部５３ｂ及び左側指示部５３ｃがクーラントの液量に対応した高さになる。左側指示部５３ｃが示す目盛３３ｂを読むことでクーラントの液量を把握することが可能になり、また、右側指示部５３ｂによってクーラントの液量が異常液量、注意液量、正常液量のいずれであるか一目で把握することが可能になる。
【００６５】
槽１００内のクーラントの量が増減すると浮き４が上下に動き、また、槽１００内のクーラントに流れが生じている場合にも浮き４が上下に動く。浮き４が上下に動くと、指示検知部材５が上下に移動することになる。このとき、指示検知部材５の第１板部５１及び第２板部５２が第１スリット２０ｂ及び第２スリット２０ｃによって上下方向に案内され、さらに、指示検知部材５の上端板部５３がフレーム部材３の前側板部３３の開口部３３ａの左側縁部によって上下方向に案内されるとともに、前側板部３３の前面によっても上下方向に案内される。つまり、指示検知部材５の上下方向に離れた少なくとも２箇所がそれぞれ案内されるので、例えば槽１００内の液体に流れが生じていて浮き４に水平方向の力が作用していたとしても、指示検知部材５がスムーズに上下動する。これにより、上下方向に長い高価なガイド部材を設けることなく低コストで、クーラントの量が所定量以上あるか否かを正確に把握することができるとともに、クーラントの量が減少傾向または増加傾向にあるか否かも正確に把握することができる。
【００６６】
また、第１板部５１及び第２板部５２が互いに交差する方向に延びていて、第１スリット２０ｂ及び第２スリット２０ｃに挿通しているので、指示検知部材５は水平方向の２方向の変位が規制されることになる。さらに、指示検知部材５の上端板部５３は、凹部５３ｄに、フレーム部材３の前側板部３３の開口部３３ａの左側縁部を差し込むようしているので、これにより、前後方向及び左側への変位が抑制される。さらに、右側指示部５３ｂ及び左側指示部５３ｃの後縁部が前側板部３３の前面に摺接することで、指示検知部材５の上端板部５３の後側への変位が抑制される。このように、指示検知部材５の各部において水平方向の変位を抑制することができるので、指示検知部材５をより一層スムーズに上下動させることができる。
【００６７】
（その他の実施形態）
上述の実施形態はあらゆる点で単なる例示に過ぎず、限定的に解釈してはならない。さらに、特許請求の範囲の均等範囲に属する変形や変更は、全て本発明の範囲内のものである。
【００６８】
上記実施形態の説明では、液量表示器１によってクーラントの量を表示するようにしたが、これに限らず、各種液体の量を表示する場合に本発明を適用することができる。
【産業上の利用可能性】
【００６９】
以上説明したように、本発明に係る液量表示器は、例えば、槽に貯留されたクーラントの量を表示する場合に使用することができる。
【符号の説明】
【００７０】
１                液量表示器
２                据付部
３                フレーム部材
４                浮き
５                指示検知部材
２０              上板部（ベース板）
２０ｂ            第１スリット
２０ｃ            第２スリット
２０ｄ            スリット
３３              前側板部（案内部）
３３ａ            開口部
３３ｂ            目盛（表示部）
３３ｃ            液レベル表示部
３４              左側板部（第２側板部）
３４ａ            左側近接スイッチ取付孔（第２スイッチ取付部）
３５              後側板部（第１側板部）
３５ａ            後側近接スイッチ取付孔（第１スイッチ取付部）
５１              第１板部
５２              第２板部
５３ｂ            右側指示部
５３ｃ            左側指示部
５３ｄ            凹部
１００            槽
１０１ａ          連通孔
ＳＷ１            上側近接スイッチ
ＳＷ２            下側近接スイッチ
【図１】
2018080985.tif 000003
【図２】
2018080985.tif 000004
【図３】
2018080985.tif 000005
【図４】
2018080985.tif 000006
【図５】
2018080985.tif 000007
【図６】
2018080985.tif 000008
【図７】
2018080985.tif 000009
【図８】
2018080985.tif 000010
【図９】
2018080985.tif 000011
【図１０】
2018080985.tif 000012
【図１１】
2018080985.tif 000013
【図１２】
2018080985.tif 000014